(57)【特許請求の範囲】
【請求項１】
所定の光源から射出された照明光を板状部材の端面から入射し、前記照明光を屈曲して前記板状部材の出射面より出射するサイドライト型面光源装置において、
前記板状部材は、
前記出射面と対向する裏面側に、前記照明光を散乱する光拡散面と、前記照明光を反射する反射面とが順次配置され、
前記出射面に、光拡散シートと、前記照明光の指向性を補正する光制御部材とが、前記出射面側より順次配置され、
前記出射面に、
前記端面と略直交する方向に延長する１対の斜面を有する凸部が、前記端面と略平行な方向に繰り返し形成され、
前記光制御部材は、
前記出射面と逆側の面に、前記端面と略平行な方向に延長する１対の斜面を有する凸部が、前記端面と略直交する方向に繰り返し形成され、
前記光制御部材の１対の斜面は、
前記端面に対して相対的に近い側の斜面と前記出射面の法線とにより形成される角度が、前記端面に対して相対的に遠い側の斜面と前記出射面の法線とにより形成される角度より小さくなるように、前記１対の斜面の傾きが異なるように形成され、
前記光拡散シートは、
前記板状部材の出射面から出射される照明光の指向性を損なわない程度であって、かつ該照明光を前記相対的に近い側の斜面にも入射させる程度に、前記照明光を弱く散乱させる
ことを特徴とするサイドライト型面光源装置。
【請求項２】
前記端面に対して相対的に遠い側の斜面と前記出射面の法線とにより形成される角度を、４０度より小さい角度に設定した
ことを特徴とする請求項１に記載のサイドライト型面光源装置。
【発明の詳細な説明】
【０００１】
【発明の属する技術分野】
本発明は、サイドライト型面光源装置に関し、例えば入射面より遠ざかるに従って板状部材の板厚が薄くなるように形成されたサイドライト型面光源装置に適用するものである。本発明は、板状部材の出射面に突起を形成して入射面に沿った方向の指向性を補正した後、出射面に配置した光制御部材によりこれと直交する方向を修正するにつき、光制御部材の突起において、入射面側の斜面の傾きに比して、これと対を成す斜面の傾きを大きく設定することにより、出射面の正面方向に照明光を効率良く出射できるようにする。
【０００２】
【従来の技術】
従来、例えば液晶表示装置においては、サイドライト型面光源装置により液晶表示パネルを照明し、これにより全体形状を薄型化するようになされている。
【０００３】
すなわちサイドライト型面光源装置は、棒状光源でなる一次光源を板状部材（すなわち導光板でなる）の側方に配置し、この一次光源より出射される照明光を導光板の端面より導光板に入射する。さらにサイドライト型面光源装置は、この照明光を屈曲して、導光板の平面より液晶表示パネルに向けて出射し、これにより全体形状を薄型化できるようになされている。
【０００４】
このようなサイドライト型面光源装置は、ほぼ均一な板厚により導光板を形成した方式のものと、一次光源より遠ざかるに従って導光板の板厚を徐々に薄く形成した形式のものとがあり、後者は、前者に比して効率良く照明光を出射することができる。
【０００５】
図１０は、この後者のサイドライト型面光源装置１の一例を示す分解斜視図であり、図１１は、図１０をＡ−Ａ線で切り取って示す断面図である。このサイドライト型面光源装置１は、導光板２の側方に一次光源３を配置し、反射シート４、導光板２、光拡散シートＨ、光制御部材でなるプリズムシート５を順次積層して形成される。
【０００６】
一次光源３は、冷陰極管でなる蛍光ランプ７の周囲を、リフレクタ８で囲って形成され、リフレクタ８の開口側より導光板２の端面（以下入射面と呼ぶ）２Ａに照明光を入射する。ここでリフレクタ８は、入射光を正反射又は乱反射する反射部材であり、例えばシート材により形成される。
【０００７】
反射シート４は、金属箔等でなるシート状の正反射部材、又は白色ＰＥＴフィルム等でなるシート状の乱反射部材により形成され、導光板２より漏れ出す照明光を反射して導光板２に入射し、これにより照明光の利用効率を向上する。
【０００８】
導光板２は、透明部材でなる例えばアクリル（ＰＭＭＡ樹脂）を射出成形して断面楔型形状に形成された板状部材であり、光拡散シートＨ側平面（以下出射面と呼ぶ）には、入射面と平行に微小な凸部が繰り返し形成される。この微小な凸部は、入射面と直交する方向に延存している。また反射シート４側平面（以下裏面と呼ぶ）２Ｂには、粗面によるドット状のパターンが、一次光源３側から遠ざかるに従って徐々に面積が拡大するように形成される。これにより導光板２は、裏面２Ｂに部分的に光拡散面を形成し、裏面２Ｂと光拡散シートＨ側平面（以下出射面と呼ぶ）２Ｃとの間を繰り返し反射して照明光を伝搬しながら、この光拡散面により照明光を散乱する。
【０００９】
この伝播の際に、照明光Ｌは、裏面２Ｂで反射する毎に出射面２Ｃに対する入射角が低下し、出射面２Ｃに対して臨界角以下の成分が出射面２Ｃより出射される。この出射面２Ｃより出射される照明光は、裏面２Ｂに形成された光拡散面により散乱され、また反射シート４に乱反射部材を適用した場合は、この反射シート４により乱反射して伝播することにより、散乱光により出射される。しかしながらこの照明光は、出射面２Ｃに対して伝播方向に傾いて形成された裏面２Ｂを反射して伝播し、臨界角以下の成分が射出されることにより、主たる出射方向が楔型形状の先端方向に傾いて形成される。すなわち導光板２からの出射光が指向性を有するようになり、これによりサイドライト型面光源装置１は、指向出射性を有するようになる。
【００１０】
プリズムシート５は、この導光板２の指向性を補正するために配置される。すなわちプリズムシート５は、ポリカーボネート等の透光性のシート材で形成され、導光板２と対向する側とは逆側の面にプリズム面が形成される。このプリズム面は、一方向にほぼ平行に延長する断面三角形形状の突起が繰り返されて形成され、導光板２側のプリズムシート５は、この突起が入射面２Ａとほぼ平行に延長するように配置される。
【００１１】
これによりプリズムシート５は、この三角形形状の突起の斜面で、出射光の主たる出射方向を出射面２Ｃの正面方向に補正する。なおプリズムシートとしては、両面にプリズム面を形成した構造のいわゆる両面プリズムシートを用いる場合もある。これによりこのサイドライト型面光源装置１では、ほぼ均一な板厚により導光板を形成した方式のサイドライト型面光源装置に比して、出射光を正面方向に効率良く出射できるようになされている。
【００１２】
このようにして照明光を出射するサイドライト型面光源装置１において、光拡散シートＨは、干渉縞の発生を防止するために、照明光を弱く散乱する程度の機能を持つシート状部材により構成される。
【００１３】
【発明が解決しようとする課題】
ところでこのようにサイドライト型面光源装置１において、出射面に微小な凸部による繰り返し溝を形成すれば、その分一段と照明光の利用効率を向上して、効率良く照明光を出射でき、また全体構成を簡略化できる。
【００１４】
ところがこのようにすると、従来のプリズムシートによっては、導光板２より楔型先端方向に傾いて出射される照明光の指向性を、出射面２Ｃの正面方向に正しく補正できないことが分かった。
【００１５】
この場合プリズムシートのプリズム面を形成する１対の斜面の成す角を小さくすることにより、照明光の指向性を出射面２Ｃの正面方向に補正することができる。ところがこの方法の場合、対を形成する１方の斜面から出射される照明光の強度が他方の斜面より出射される照明光の強度に比して極めて大きくなり、微視的に見て、凸部の繰り返し方向に、輝度レベルの微小な脈動が発生する。この脈動に対して、液晶表示パネルの画素ピッチが近接していると、いわゆるモアレが発生し、表示画像の品位を著しく劣化させることが分かった。また出射面側より見て、この出射光量の少ない斜面を通して、裏面に配置した反射シート４の色合いが観察され、これによっても照明光の品位が著しく劣化して観察されることが分かった。
【００１６】
本発明は以上の点を考慮してなされたもので、出射面の正面方向に照明光を効率良く出射することができるサイドライト型面光源装置を提案しようとするものである。
【００１７】
【課題を解決するための手段】
かかる課題を解決するため本発明においては、所定の一次光源から射出された照明光を板状部材の端面から入射し、この照明光を屈曲して板状部材の出射面より出射するサイドライト型面光源装置に適用する。このサイドライト型面光源装置において、この板状部材の出射面と対向する裏面側に、照明光を散乱する光拡散面と、照明光を反射する反射面とを順次配置し、出射面に、光拡散シートと、照明光の指向性を補正する光制御部材とを、出射面側より順次配置し、この板状部材の出射面に、端面と略直交する方向に延長する１対の斜面を有する凸部を、端面と略平行な方向に繰り返し形成する。さらに光制御部材について、板状部材の出射面と逆側の面に、端面と略平行な方向に延長する１対の斜面を有する凸部を、端面と略直交する方向に繰り返し形成する。さらにこの光制御部材の１対の斜面については、端面に対して相対的に近い側の斜面と出射面の法線とにより形成される角度が、端面に対して相対的に遠い側の斜面と出射面の法線とにより形成される角度より小さくなるように、傾きを異ならせて形成する。さらに光拡散シートは、板状部材の出射面から出射される照明光の指向性を損なわない程度であって、かつ該照明光を前記相対的に近い側の斜面にも入射させる程度に、前記照明光を弱く散乱させるようにする。
【００１８】
このとき端面に対して相対的に遠い側の斜面と出射面の法線とにより形成される角度を、４０度より小さい角度に設定する。
【００１９】
さらにこれらの場合に、出射面及び光制御部材間に、照明光を散乱させるシート状部材を配置する。
【００２０】
この種のサイドライト型面光源装置に適用して、板状部材の出射面と対向する裏面側に、照明光を散乱する光拡散面と、照明光を反射する反射面とを順次配置すれば、端面より入射して板状部材の内部を伝搬する照明光を所定の分布により出射面から出射することができる。この出射面に、端面と略直交する方向に延長する１対の斜面を有する凸部を、端面と略平行な方向に繰り返し形成すれば、入射面と平行な面内における出射光の指向性を出射面の正面方向に補正することができる。またこの出射面に光制御部材を配置し、この光制御部材に、端面に略平行な方向に延長する１対の斜面を有する凸部を、端面に略直交する方向に繰り返し形成すれば、板状部材の先端側に傾いて出射される照明光の方向を修正し、照明光を出射面の正面方向に導くことができる。
【００２１】
このときこの光制御部材における１対の斜面について、端面に対して相対的に近い側の斜面と出射面の法線とにより形成される角度が、端面に対して相対的に遠い側の斜面と出射面の法線とにより形成される角度より小さくなるように、傾きを異ならせて形成すれば、出射面側より光制御部材を観察して、この相対的に遠い側の斜面が多くの面積を占めるように観察され、またこの相対的に遠い側の斜面より主に照明光が出射される。これにより光制御部材を介して出射される照明光の微視的な脈動を低減することができ、また他方、端面に対して相対的に近い側の斜面を介して、裏面側を観察困難にすることができる。さらに光制御部材より出射される照明光の指向性は、この端面に対して相対的に遠い側の斜面の傾きに依存することにより、この傾きを選定して照明光を出射面の正面方向に効率良く出射することができる。
【００２２】
具体的には、端面に対して相対的に遠い側の斜面と出射面の法線とにより形成される角度を、４０度より小さい角度に設定して、ほぼ実用上十分な指向性を得ることができる。
【００２３】
またこれらの場合に、出射面及び光制御部材間に、照明光を散乱させるシート状部材を配置すれば、干渉縞の発生を防止することができ、さらには前記端面に対して相対的に近い側の斜面からも、この光拡散の程度に応じて照明光の出射を促すことができる。
【００２４】
【発明の実施の形態】
以下、適宜図面を参照しながら本発明の実施の形態を詳述する。
【００２５】
図１は、図１０との対比により本発明の実施の形態に係るサイドライト型面光源装置を示す分解斜視図であり、図２は、このサイドライト型面光源装置１０をＢ−Ｂ線で切り取って示す断面図である。このサイドライト型面光源装置１０は、導光板１２の側方に一次光源３を配置し、反射シート１４、導光板１２、光制御部材でなるプリズムシート１３を順次積層して、図示しないフレームに保持して形成される。なおこのサイドライト型面光源装置１０において、図１０のサイドライト型面光源装置１と同一の構成は、対応する符号を付して示し、重複した説明は省略する。
【００２６】
ここでこのサイドライト型面光源装置１０において、反射シート１４は、照明光Ｌに対して高い反射率を示すように、銀を蒸着した正反射部材でなるシート材が適用される。これにより反射シート１４は、導光板１２の裏面１２Ｂより漏れ出す照明光を効率良く導光板１２の内部に戻し、照明光の利用効率を向上する。
【００２７】
導光板１２は、透明部材でなる例えばアクリル（ＰＭＭＡ樹脂）を射出成形した板状部材でなり、断面楔型形状に形成される。導光板１２の裏面１２Ｂは、粗面によるドット状のパターン（光拡散パターン）が、一次光源３から遠ざかるに従ってその面積が徐々に拡大するように形成され、この粗面により裏面１２Ｂに部分的に光拡散面が形成される。これにより導光板１２は、裏面１２Ｂで照明光を散乱させながら、裏面１２Ｂと出射面１２Ｃとの間を繰り返し反射して照明光を伝搬し、この裏面１２Ｂ及び出射面１２Ｃにおける反射の際に、臨界角以下の成分を裏面１２Ｂ及び出射面１２Ｃより出射する。
【００２８】
さらに導光板１２は、矢印Ｃにより部分的に入射面１２Ａ側を拡大して示すように、出射面１２Ｃに、入射面と平行な方向に、微小な凸部が繰り返し形成される。ここでこの微小な凸部は、入射面１２Ａと直交する方向に延長する１対の斜面１２Ｅ、１２Ｆを有し、この実施の形態ではこの１対の斜面１２Ｅ、１２Ｆが直接接続されて、断面三角形形状に形成されるようになされている。これにより導光板１２は、図３に示すように、入射面１２Ａと平行な面内において、出射光の指向性を出射面１２Ｃの正面方向に補正する。
【００２９】
さらにこの実施の形態において導光板１２は、１対の斜面１２Ｅ、１２Ｆが出射面に対して等しい傾きに形成され、斜面１２Ｅ及び１２Ｆの成す角α１が約１００度に選定されるようになされている。なおこの頂角α１は、５０度〜１３０度の範囲で適宜選定して実用に供する特性を得ることができるが、好ましくは６０度〜１１０度の範囲である。
【００３０】
さらに導光板１２において、これら微小な凸部は、例えばこのサイドライト型面光源装置１０が適用される液晶表示パネルの画素周期に比して１／４以上小さな、５０〔μｍ〕の繰り返しピッチＷ１により形成される。
【００３１】
プリズムシート１３は、導光板１２側とは逆側の面にプリズム面が形成された片面プリズムシートが適用される。ここでプリズム面は、透明ＰＥＴをベースにして、その表面にアクリル系の紫外線硬化樹脂等を所定形状で硬化させて形成される。
【００３２】
プリズム面は、矢印Ｄにより部分的に側面を拡大して示すように（図１）、入射面１２Ａと直交する方向に、微小な凸部が繰り返し形成される。ここでこの微小な凸部は、導光板１２の入射面１２Ａと平行に延長する１対の斜面１３Ａ、１３Ｂを有し、この実施の形態ではこの１対の斜面１３Ａ、１３Ｂが直接接続されて、断面三角形形状に形成されるようになされている。
【００３３】
これによりプリズムシート１３は、導光板１２における凸部の繰り返し方向と直交する方向に、同様の凸部が繰り返し形成されるようになされ、この凸部により図４に断面を取って示すように、導光板１２より楔型先端方向に傾いて出射された照明光Ｌを、楔型先端側の斜面１３Ｂにより折り曲げて出射面の正面方向に出射する。これによりプリズムシート１３は、入射面１２Ａと直交する面内において、出射光の方向を出射面１２Ｃの正面方向に修正するようになされている。
【００３４】
さらにこの実施の形態においてプリズムシート１３は、入射面１２Ａ側の斜面１３Ａと出射面１２Ｃの法線と成す角β２が、角度５．６度に設定されるのに対し、楔型先端側の斜面１３Ｂと出射面１２Ｃの法線と成す角β１が、角度３５度に設定され、これにより斜面１３Ａと出射面１２Ｃの法線と成す角β２に比して斜面１３Ｂと出射面１２Ｃの法線と成す角β１が大きな角度に選定される。これによりプリズムシート１３は、出射面側より見ると、ほぼ楔型先端側の斜面１３Ｂが多くの面積を占めるように観察されるようになされている。
【００３５】
かくするにつきこの楔型先端側の斜面１３Ｂと法線との成す角度β１は、導光板１２より出射した照明光の主たる出射方向がこの斜面１３Ｂにより折り曲げられて出射面１２Ｃの正面方向を向くように選定されるようになされている。
【００３６】
さらにプリズムシート１３において、これら微小な凸部は、例えばこのサイドライト型面光源装置１０が適用される液晶表示パネルの画素周期に比して１／４以上小さな、５０〔μｍ〕の繰り返しピッチＷ２により形成される。
【００３７】
以上の構成において、蛍光ランプ７から射出された照明光Ｌは（図１及び図２）、直接に、又はリフレクタ８で反射した後、入射面１２Ａより導光板１２の内部に入射し、裏面１２Ｂの光拡散面により散乱を受けながら、裏面１２Ｂと出射面１２Ｃとの間で反射を繰り返して導光板１２の内部を伝搬する。このときこの照明光Ｌは、裏面１２Ｂで反射する毎に出射面１２Ｃに対する入射角が低下し、出射面１２Ｃに対して臨界角以下の成分が出射面１２Ｃより出射される。
【００３８】
さらにこのとき照明光は、導光板１２の裏面１２Ｂに部分的に形成された粗面により拡散されて出射面１２Ｃからの出射が促される。また導光板１２の裏面１２Ｂより漏れだす照明光が、裏面１２Ｂ側に配置された正反射部材でなる反射シート１４により反射されて効率良く導光板２の内部に戻され、これにより効率良く出射面１２Ｃより出射される。
【００３９】
このようにして内部を伝搬して出射される照明光Ｌは、入射面１２Ａより楔型先端に向かって伝搬する照明光より臨界角以下の成分が出射されることにより、平面により出射面を構成した場合、導光板の出射面から出射して続く光拡散シートＨにより弱い拡散を受けた後の出射光は、図５に示すように、楔型先端に傾いた指向性により、また入射面１２Ａに沿った方向については、広がった指向性により出射される。なおこの図５においては、入射面１２Ａに沿った方向の面内における角度をＸθ、この面と直交する方向の面内における角度をＹθとして、導光板１２より各方向に出射される照明光の強度を表した。また縦軸は、ピーク値に対する相対的な出射光量を示す。
【００４０】
これに対してこの実施の形態では、導光板１２の出射面１２Ｃに形成された凸部の斜面１２Ｅ、１２Ｆにより、入射面１２Ａと平行な面内において、外側に広がるように出射される照明光が内側を向くように指向性が補正されて出射される。
【００４１】
従って出射面１２Ｃより出射された、続く光拡散シートＨにより弱い拡散を受けた後の照明光は、図６に示すような状態となる。照明光は、その後プリズムシート１３を透過して、このプリズムシート１３の前面に配置された液晶パネル等を照明する。このとき照明光Ｌは、入射面１２Ａと平行な斜面１３Ａ、１３Ｂによる凸部が繰り返し形成されていることにより、楔型先端に向かって出射面１２Ｃより出射してプリズムシート１３に入射した後、これら１対の斜面１３Ａ、１３Ｂのうちの、楔形先端側の斜面１３Ｂにより折り曲げられて出射面１２Ｃの正面方向に出射される。これにより図７に示すように、入射面１２Ａと直交する面内において、出射光の方向が出射面１２Ｃの正面方向に修正される。
【００４２】
このようにしてプリズムシート１３より出射される照明光は、斜面１３Ａと出射面１２Ｃの法線と成す角β２に比して斜面１３Ｂと出射面１２Ｃの法線と成す角β１が大きな角度に選定され、出射面側よりプリズムシート１３を見ると、ほぼ楔型先端側の斜面１３Ｂが多くの面積を占めるように観察されることにより、プリズムシート１３のほぼ全面より照明光が出射されるように観察され、これにより微視的な輝度レベルの微小な脈動が低減される。これによりこの脈動と液晶表示パネルの画素ピッチとの関係によるモアレの発生を有効に回避することができ、表示画像の品位の低下を有効に回避することができる。また斜面１３Ａを介して観察される裏面１２Ｂの面積も小さくなり、これにより反射シート１４の色合いも視認困難にすることができる。
【００４３】
因みに、光拡散シートＨによる弱い散乱により、入射面１３Ａ側の斜面にも照明光が一部入射し、これによっても裏面側を視認困難にすることができる。
【００４４】
またこの楔形先端側の斜面１３Ｂの傾きβ１が、照明光の主たる出射方向が出射面１２Ｃの正面方向を向くように、角度３５度に設定されていることにより、導光板１２より出射された照明光は、出射面１２Ｃの正面方向に効率良く出射される。
【００４５】
なお参考までに、図１０について上述した従来構成のサイドライト型面光源装置における指向性を図８及び図９に示す。ここで図８に示す特性は、図１０の構成において、１対の斜面の成す角度が９０度で、かつこの１対の斜面が等しい傾きに保持されたプリズムシート５を用いた場合である。この場合指向性のピークが１０度程度、楔形先端側に傾いていることが分かり、またこの指向性自体、上述の実施の形態に比して鈍いことが分かる。また楔形先端側の８０度近傍において、上述の実施の形態では観察されない、比較的大きな、かつ不自然なピークが発生していることが分かる。
【００４６】
これに対して図９は、図１０の構成において、１対の斜面の成す角度が７０度で、かつこの１対の斜面が等しい傾きに保持されたプリズムシート５を用いた場合である。この場合図８の特性に比して、指向性のピークが５度程度正面方向に補正されていることが分かる。しかしながら指向性自体、上述の実施の形態に比して鈍く、また楔形先端側の６０度近傍において、上述の実施の形態では観察されない、比較的大きな、かつ不自然なピークが未だ発生していることが分かる。
【００４７】
かくするにつき、この実施の形態では、このような比較的大きな、かつ不自然がピークの発生も有効に回避することができ、その分効率良く照明光を出射することができる。
【００４８】
以上の構成によれば、導光板１２の出射面にプリズム面を形成すると共に、この出射面と逆側の面がプリズム面になるようにプリズムシート１３を配置し、このプリズムシート１３における１対の斜面１３Ａ及び１３Ｂにおいて、入射面１２Ａ側の斜面１３Ａと出射面１２Ｃの法線と成す角β２に比して、楔型先端側の斜面１３Ｂと出射面１２Ｃの法線と成す角β１を大きな角度に選定したことにより、この楔型先端側の斜面１３Ｂより照明光を出射して、プリズムシート１３のほぼ全面より照明光が出射されるように観察され、これにより微視的な輝度レベルの微小な脈動を低減してモアレの発生を有効に回避することができる。また反射シート１４の色合いも視認困難にすることができる。
【００４９】
これによりこの楔形先端側の斜面１３Ｂの傾きβ１を、照明光の主たる出射方向が出射面１２Ｃの正面方向を向くように、角度３５度に設定して、導光板１２より出射された照明光を出射面１２Ｃの正面方向に効率良く出射することができる。
【００５０】
なお上述の実施の形態においては、１対の斜面１３Ａ及び１３Ｂについて、それぞれ出射面の法線との間の角度を５．６度及び３５度に設定する場合について述べたが、本発明はこれに限らず、導光板より出射される照明光の指向性に応じてこれらの角度は適宜選定することができる。
【００５１】
また上述の実施の形態においては、導光板及びプリズムシートにおいて、それぞれ斜面を直接接続する場合について述べたが、本発明はこれに限らず、曲面により滑らかに接続しても良く、さらには斜面自体を曲面により形成してもよい。
【００５３】
さらに上述の実施の形態においては、導光板１２及びプリズムシート１３に、繰り返しピッチ０．０５〔ｍｍ〕により突起を形成する場合について述べたが、本発明はこれに限らず、種々の繰り返しピッチにより突起を形成する場合に広く適用することができる。
【００５４】
また上述の実施の形態においては、反射シートとして銀を蒸着した正反射部材を使用する場合について述べたが、本発明はこれに限らず、種々の正反射部材、さらには白色ＰＥＴ等の乱反射部材を使用する場合にも広く適用することができる。
【００５５】
また本発明に用いるプリズムシートとしては、透明ＰＥＴをベースにして、その表面にアクリル系の紫外線硬化樹脂を所定形状で硬化させたのもが代表的ではあるが、本発明はこれに限らず、ポリカーボネート（ＰＣ）、ポリメチルメタクリレート（ＰＭＭＡ）等の透光性の材料を用いて形成したもの、或いはこのようなフレキシビリティーを有する樹脂材料によるプリズムシートに代えて、フレキシビリティーのないシート状又は板状の光制御部材でなるいわゆるプリズム体を使用することも可能である。
【００５６】
さらに上述の実施の形態においては、マット面処理により、一次光源より遠ざかるに従って面積が拡大するように、粗面によるドット状のパターンを形成することにより、導光板の裏面に部分的に光散乱面を形成する場合について述べたが、本発明はこれに限らず、光拡散性のインクを印刷することにより、部分的に光拡散面を形成する場合、裏面全面をマット面とする場合、さらにはサンドペーパーによるブラスト処理、化学エッチング処理により光拡散面を形成する場合等にも広く適用することができる。
【００５７】
さらに上述の実施の形態においては、断面楔型形状の板状部材でなる導光板を用いたサイドライト型面光源装置に本発明を適用する場合について述べたが、本発明はこれに限らず、平板形状の板状部材により導光板を構成する方式のサイドライト型面光源装置にも広く適用することができる。
【００５８】
さらに上述の実施の形態では、一端面より照明光を入射する場合について述べたが、本発明はこれに限らず、併せて他の端面から照明光を入射する構成のサイドライト型面光源装置にも広く適用することができる。
【００５９】
また上述の実施の形態では、棒状光源でなる蛍光ランプにより一次光源を構成する場合について述べたが、本発明はこれに限らず、発光ダイオード等の点光源を複数配置して一次光源を形成する場合にも広く適用することができる。
【００６０】
さらに上述の実施の形態では、液晶表示装置の面光源装置に本発明を適用する場合について述べたが、本発明はこれに限らず、種々の照明機器、表示装置等のサイドライト型面光源装置に広く適用することができる。
【００６１】
【発明の効果】
上述のように本発明によれば、板状部材の出射面に凸部を繰り返し形成すると共に、この出射面に配置した光制御部材により照明光の指向性を補正するにつき、光制御部材の突起において、入射面側の斜面の傾きに比して、これと対を成す斜面の傾きを大きな傾きに設定することにより、出射面の正面方向に照明光を効率良く出射することができる。
【図面の簡単な説明】
【図１】本発明の実施の形態に係るサイドライト型面光源装置を示す分解斜視図である。
【図２】図１のサイドライト型面光源装置をＢ−Ｂ線により切り取って示す断面図である。
【図３】導光板１２に形成された突起の説明に供する断面図である。
【図４】プリズムシートに形成された突起の説明に供する断面図である。
【図５】出射面を平面により形成した場合の導光板より出射される照明光の、光拡散シートを介して状態での指向性を示す特性曲線図である。
【図６】出射面に凸部を繰り返し形成した導光板より出射される照明光の、光拡散シートを介して状態での指向性を示す特性曲線図である。
【図７】プリズムシート１３より出射される照明光の指向性を示す特性曲線図である。
【図８】斜面の成す角度を９０度に設定した場合の、従来構成によるサイドライト型面光源装置の指向性を示す特性曲線図である。
【図９】斜面の成す角度を７０度に設定した場合の、従来構成によるサイドライト型面光源装置の指向性を示す特性曲線図である。
【図１０】従来のサイドライト型面光源装置を示す分解斜視図である。
【図１１】図１０をＡ−Ａ線により切り取って示す断面図である。
【符号の説明】
１、１０                                サイドライト型面光源装置
２、１２                                導光板
２Ａ、１２Ａ                            入射面
２Ｂ、１２Ｂ                            裏面
２Ｃ、１２Ｃ                            出射面
４、１４                                反射シート
５、１３                            プリズムシート
１２Ｅ、１２Ｆ、１３Ａ、１３Ｂ          斜面
【図１】
0003669541.tif 000002
【図２】
0003669541.tif 000003
【図３】
0003669541.tif 000004
【図４】
0003669541.tif 000005
【図５】
0003669541.tif 000006
【図６】
0003669541.tif 000007
【図７】
0003669541.tif 000008
【図８】
0003669541.tif 000009
【図９】
0003669541.tif 000010
【図１０】
0003669541.tif 000011
【図１１】
0003669541.tif 000012